【事件の表示】
　特許第３０２９０７３号「血圧計用流量コントロール弁」の請求項１ないし３に係る特許に対する特許異議の申立てについて、次のとおり決定する。
【結　論】
　訂正を認める。
　特許第３０２９０７３号の請求項１、２に係る特許を維持する。
【理　由】
１．手続の経緯
　特許第３０２９０７３号の請求項１ないし３に係る発明についての出願は、平成４年７月３０日に特許出願されたもので、平成１２年２月４日にその発明について特許の設定登録がなされた後、請求項１ないし３に係る発明の特許に対して日本精密測器株式会社より特許異議の申立てがなされ、取消理由通知がなされ、その指定期間内である平成１３年２月９日に訂正請求がなさたものである。
　
２．訂正の適否
ア）訂正の内容
　特許権者が求めている訂正の内容は次の訂正事項１）〜１０）のとおりである。
１）発明の名称を「
血圧計用
２）特許請求の範囲の請求項１を次のとおり訂正する。
「 
血圧計の排気弁として使用される流量コントロール弁であって、
　圧縮気体を外部に流出させる圧力流出口を有するハウジングと、
　このハウジング内に移動可能に配置される駆動軸と、
　この駆動軸の先端に設けられ、前記圧力流出口に圧接される弾性部材と、
　電磁コイルを有し、
常時は前記圧力流出口を開放し、
し、徐々に
　中心部が駆動軸の軸方向
一端部
　中心部が駆動軸の前記軸方向
一端部とは反対側の他端部
を備え、
　
前記第１の支持部材及び第２の支持部材は、弾性力を有する薄膜状の部材で形成されると共に、共に前記圧力流出口を開放する方向に前記駆動軸を付勢する
血圧計用
３）特許請求の範囲の請求項２を次のとおり訂正する。
「
前記第１の支持部材及び第２の支持部材は、薄膜状の金属板に適宜な切り込みを入れて形成していることを特徴とする請求項１記載の血圧計用
４）本件特許明細書の段落【０００１】を、次のとおり訂正する。
「この発明は、血圧計
に
血圧計用
５）本件特許明細書の段落【０００８】を、次のとおり訂正する。
「この発明は、この問題点に着目してなされたものであって、簡単な構造でありながら、微細かつ連続的な排気流量を再現性よく制御できる
血圧計用
６）本件特許明細書の段落【０００９】を、次のとおり訂正する。
「【課題を解決するための手段及び作用】
　上
血圧計の排気弁として使用される流量コントロール弁であって、
常時は前記圧力流出口を開放し、
し、徐々に
一端部
一端部とは反対側の他端部
を備え、前記第１の支持部材及び第２の支持部材は、弾性力を有する薄膜状の部材で形成されると共に、共に前記圧力流出口を開放する方向に前記駆動軸を付勢することを特徴とする。
７）本件特許明細書の段落【００１１】を、次のとおり訂正する。
「なお、この第１及び第２の支持部材は、駆動軸を駆動軸の軸方向
一端部と他端部
。 
８）本件特許明細書の段落【００１２】を、次のとおり訂正する。
「
また、駆動軸は、第１の支持部材及び第２の支持部材により圧力流出口を開放する方向に付勢されている
　また、流量の微細な制御が容易であり、制御の再現性に優れている
ので、
る。 
９）本件特許明細書の段落【００１７】を、次のとおり訂正する。
「なお
、ダ
は
図３や図４
１０）本件特許明細書の段落【００１８】を、次のとおり訂正する。
「【発明の効果】
　以上説明したように、この発明に係る流量コントロール弁は、駆動軸がいつも同じ経路で移動できるよう駆動軸とハウジングとの間に、駆動軸を駆動軸の軸方向
一端部と他端部
　従って、圧力流出口を開閉する動き以外の駆動軸のガタツキ分が解消され、微細な流量でもこれを再現性よく制御することが可能となる。また、第１と第２の支持部材を駆動軸の軸方向
一端部と他端部
また、駆動軸は、第１の支持部材及び第２の支持部材により圧力流出口を開放する方向に付勢されているので、コイルバネなどの部材が不要となる。
血圧計においては
イ）訂正の目的の適否、新規事項の有無及び拡張・変更の存否
　訂正事項２）は、請求項１に対する訂正であって、
ａ）先頭に「血圧計用の排気弁として使用される流量コントロール弁であって、」を加え、
ｂ）「駆動軸駆動部」に関して、「常時は前記圧力流出口を開放し、」を加え、「圧力流出口を閉塞又は開放する」を「圧力流出口を閉塞
し、徐々に
ｃ）第１の支持部材に関して、「中心部が駆動軸の軸方向所定の第１の位置に連結される」を「中心部が駆動軸の軸方向一端部に連結される」と訂正し、また、第２の支持部材に関して、「中心部が駆動軸の前記軸方向第１の位置とは異なる第２の位置に連結される」を「中心部が駆動軸の前記軸方向一端部とは反対側の他端部に連結される」と訂正し、
ｄ）「前記第１の支持部材及び第２の支持部材は、弾性力を有する薄膜状の部材で形成されると共に、共に前記圧力流出口を開放する方向に前記駆動軸を付勢する」を加え、
ｅ）「流量コントロール弁」を「血圧計用流量コントロール弁」とし、特許請求の範囲の減縮を目的とするものである。
　そして、特許明細書において、
ａ）「血圧計の排気弁として使用される請求項１に記載の流量コントロール弁であって」（【請求項２】等）、
ｂ）「電磁コイル５に所定値の電流を流すことによって、図１の左向きの電磁力を発生させる。すると、この電磁力はダンパー９の反発力に打ち勝って駆動軸４を図１の左方向に移動させ、オリフィスパッキン３を圧力流出口１−１に圧接して内管１を完全な閉塞状態にする。」（段落【００１５】）、「その後、血圧計の微速排気の過程に移行すると、電磁コイル５への供給電流を少しずつ減少させる。すると、この電流の減少に応じて電磁力が弱まるので、駆動軸４はダンパー９の弾性力によって徐々に右向きに移動し、結果として、圧力流出口１−１は微細かつ連続的に開放されてゆく。」（段落【００１６】）、
ｃ）「尚、ダンパー９−１，９−２は、駆動軸４をその両端部に近い所で支持しているので（図１参照）」（段落【００１６】）、
ｄ）「前記第１の支持部材及び第２の支持部材は弾性力を有する薄膜状の部材で形成され、前記圧力流出口を開放する向きに前記可動部が付勢されている」（【請求項２】）、
と記載されていることから、訂正事項２）は、願書に添付した明細書又は図面に記載した事項の範囲内においてされたものであり、また、実質上特許請求の範囲を拡張し、又は変更するものではない。
　訂正事項３）は、訂正前の請求項３を請求項２に繰り上げるものであって、訂正後の請求項２は訂正後の請求項１を引用しているから、特許請求の範囲の減縮を目的とするものであり、願書に添付した明細書又は図面に記載した事項の範囲内においてされたものであり、また、実質上特許請求の範囲を拡張し、又は変更するものではない。
　訂正事項１）は、訂正事項２）において訂正された記載との整合をとるために発明の名称を訂正するものであり、明りょうでない記載の釈明を目的とするものである。そして、訂正事項１）は、願書に添付した明細書又は図面に記載した事項の範囲内においてされたものであり、また、実質上特許請求の範囲を拡張し、又は変更するものではない。
　訂正事項４）〜８）、１０）は、訂正事項２）において訂正された記載との整合をとるために発明の詳細な説明の記載を訂正するものであり、明りょうでない記載の釈明を目的とするものである。そして、訂正事項４）〜８）、１０）は、願書に添付した明細書又は図面に記載した事項の範囲内においてされたものであり、また、実質上特許請求の範囲を拡張し、又は変更するものではない。
　訂正事項９）は、段落【００１７】に対する訂正であって、
ｐ）「図１の流量コントロール弁の場合には、ダンパー９のバネ性を利用して圧力流出口１−１を開放しているが、これに限定される必要はなく、例えば、駆動軸４を支える為だけにダンパー９を配置し、バネ性は他の部材によって得るようにしても良い。また、」を削除し、
ｑ）「図３八頭４」を「図３や図４」に訂正するものである。
　上記ｐ）は、明りょうでない記載の釈明を目的とし、ダンパーについての実施例を削除していることから、願書に添付した明細書又は図面に記載した事項の範囲内においてされたものであり、また、実質上特許請求の範囲を拡張し、又は変更するものではない。
　上記ｑ）は、誤記の訂正を目的とするものであり、願書に添付した明細書又は図面に記載した事項の範囲内においてされたものであり、また、実質上特許請求の範囲を拡張し、又は変更するものではない。
　
ウ）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
ア）本件発明
　本件請求項１、２に係る発明は、訂正明細書及び図面の記載からみて、それぞれ、特許請求の範囲の請求項１、２に記載されたとおりのものである（上記２．訂正の適否　ア）訂正の内容　を参照のこと）。
　
イ）申立ての理由の概要
　申立人日本精密測器株式会社は、下記の甲第１ないし１１号証を提示し、１）訂正前の本件請求項１に係る発明は、甲第１ないし３号証のそれぞれに記載された発明と実質的に同一であるか、又は、甲第１ないし５号証に記載された発明に基づいて当業者が容易に発明することができたものであるので、特許法第２９条第１項の規定、又は、特許法第２９条第２項の規定により特許を受けることができない、２）訂正前の請求項２に係る発明は、甲第１、２号証のそれぞれに記載された発明と実質的に同一であるか、又は、甲第１、２、４、５号証のそれぞれに記載された発明に基づいて当業者が容易に発明をすることができたものであるから、特許法第２９条第１項の規定、又は、特許法第２９条第２項の規定により特許を受けることができない、３）訂正前の請求項３に係る発明は、甲第１ないし３号証のそれぞれに記載された周知の発明に甲第８ないし１０号証のそれぞれに記載された周知の発明を適用したものに過ぎないものであるから、特許法第２９条第１項の規定、又は、特許法第２９条第２項の規定により特許を受けることができない、とし、本件特許は、取り消されるべきである、と主張している。
　　　　　　　　　　　　　　　　 記
甲第１号証：特開昭６２−２６６２８４号公報
甲第２号証：実願昭６１−３９２９３号（実開昭６２−１５１４８０号）の　　　　　　マイクロフィルム
甲第３号証：特開昭５７−１３９８２２号公報
甲第４号証：特公昭６３−５００１２号公報
甲第５号証：特開昭５４−７０６８１号公報
甲第６号証：実願昭５０−３３７８０号（実開昭５１−１１４８８６号）の　　　　　　マイクロフィルム
甲第７号証：特開平３−８４２８３号公報
甲第８号証：特開昭６２−１１３９７７号公報
甲第９号証：実願昭５０−２００１２号（実開昭５１−１０１１７７号）の　　　　　　マイクロフィルム
甲第１０号証：特開昭５３−１２４８２５号公報
甲第１１号証：審査便覧抜粋
　
ウ）甲第１ないし１０号証に記載された事項
ａ）甲第１号証
　甲第１号証（第１、２図参照）に記載された「電磁バルブ」は、プランジャ１６をソレノイド１１の電磁力で駆動してプランジャ１６の先端に設けられた弁２４を、吸入口２５と流出口２６との間に設けられた弁座部に圧接又は離間して吸入口２５と流出口２６との連通を開閉する。プランジャ１６は、２つの板バネ１９、２２によって、弁２４による開閉を行う方向にのみ移動するように異なる２カ所で支持されている。なお、板バネ１９、２２は、中心部がプランジャ１６の互いに異なる位置にそれぞれ連結され、周辺部がそれぞれ電磁バルブ１０の本体ケースに固定されている。
　そして、その効果として、「プランジャ１６の両端は板バネ１９、２２によって支持されているため、摺動時揺動せず、ソレノイド内側と摺動しないので、ほとんど摺動抵抗を生じない」（第３頁右上欄第１６〜１９行）、「プランジャをソレノイド及びヨークに対して貫通させ、その両端を弾性ガイド部材によって支持させてなるので、プランジャの移動時にほとんど揺動せず、したがってプランジャの心出しが正確になされ、摺動抵抗が著減しかつプランジャを軸方向に移動させるための吸着力を増強する。ゆえに、比較的小電流でも強力な吸着力を発揮でき、相対的に消費電流を少なくすることができる。その結果ソレノイドのコイル容量を小さくかつ装置全体を小型化できる」（第３頁右下欄第９〜１８行）と記載されている。
ｂ）甲第２号証
　甲第２号証（第３、４図参照）に記載された「流量制御バルブ」は、ムービングコア５に連結されたシャフト７をコイル３の電磁力で駆動してシャフト７の先端に設けられた弁体１３を、流入口１９と吐出口２１との間に設けられたシート面１５に圧接又は離間して流入口１９と吐出口２１との連通を開閉する。シャフト７は、２つの板バネ６、１１によって、弁体１３による開閉を行う方向にのみ移動するように異なる２カ所で支持されている。なお、板バネ６、１１は、中心部がシャフト７の互いに異なる位置にそれぞれ連結され、周辺部がそれぞれボデー１に固定されている。
　そして、その効果として「板バネ６と同１１によってシャフト７の直線的な上下動を確保している」（第８頁第２〜３行）と記載されている。
ｃ）甲第３号証
　甲第３号証（第１、２図参照）に記載された「圧力制御弁」は、プランジャ７に連結された押棒１３をコイル８の電磁力で駆動してプランジャ７に連結された押棒１３の先端に設けられた弁体４を、入口１と出口２との間に設けられた弁座３に圧接又は離間して入口１と出口２との連通を開閉する。プランジャ７及びこれに連結された押棒１３は、２つの板ばね１１、１１によって、弁体４による開閉を行う方向にのみ移動するように異なる２カ所で支持されている。なお、板ばね１１、１１は、中心部がプランジャ７及びこれに連結された押棒１３の互いに異なる位置にそれぞれ連結され、周辺部がそれぞれハウジングに固定されている。
　そして、その効果として「プランジャ７は上部と下部で２枚の板ばね１１によりコイル８と同軸上に支持され、無摺動で動く」（第１頁右欄第１１〜１３行、第２頁左下欄第１４行〜１６行）と記載されている。
ｄ）甲第４号証
　甲第４号証には「血圧測定装置」が記載されており、その第１１欄には、
「第４図に表わされた流出弁３７は、２個の部分１３３と１３５を有するハウジング部分１３３は、その端面の中心に流入口１３３ｂを有する接続はめ管１３３ａを有する。接続はめ管１３３ａはハウジング内部に進入する部分を有し、そして第２図に表わされた導管によって空気チャンバ３１および既述の別の構造部材と連絡している。ハウジングの内室は、少なくとも１個の流出路によって環境と連絡している。ハウジング部分１３５は、強磁性のリング１３９を有するヨーク１３７が固定されている。ヨーク１３７の内部の中空シリンダー状の部分内には、接極子１４１が軸線方向に移動可能に通されており、接極子にはコイル１３１が固定されている。接極子１４１は、流入口１３３ｂの内側開口部の側の端面にゴム弾力性のワツシャー１４３を備えている。圧縮ばね１４５は、接極子１４１を流入口１３３ｂの内側開口部から押し離す。コイル１３１は、ケーブル１４７によって増幅器１０１の出力部と、供給電圧源７３のプラス極と連絡している。
　コイル１３１が無電流である場合、接極子１４１は図示された開放位置にあり、この位置において、接続はめ管１３３ａに供給された圧力を受けている空気はハウジング内室中に流れ、そしてこの内室から環境に流出することができる。これと異り、コイル１３１に電圧が印加される時、電圧の強さに相応して弁の通路横断面積が減少されるか、または弁は完全に閉鎖される。」と記載されている。
ｅ）甲第５号証
　甲第５号証には「自動血圧計」が記載されている。その第５図には「自動加減圧装置（２）における緩速排気弁（８）」が示されており、その説明として明細書第４頁左下欄には、「電磁弁（４）は駆動コイル（３１）とプランジャ（３２）と復帰ばね（３３）とにより構成され、プランジャ（３２）の先端に接触ゴム（３４）を取設して弁体を形成し、この接触ゴム（３４）が出口（５）部分に形成された弁座（３５）に圧設して空気の流通を遮断するようにしてある。」と記載されている。
ｆ）甲第６、７号証
　甲第６号証には「６はノズル５の先端面に当接された閉鎖部材、即ちゴム等の弾性部材からなる弁部材であり」（第４頁第３〜４行及び図面）、甲第７号証には「円板状の弾性材料からなる閉止用の弁９が出口３２に」（第３頁左下欄第２０行から同右下欄第１行及び第１図）と記載されており、甲第６、７号証には、流量コントロール弁の技術分野において、駆動軸の先端に弁部材としての弾性部材が取り付けられることが記載されている。
ｇ）甲第８ないし１０号証
　甲第８号証の第３ａ図には、電磁弁装置に用いられる板ばね３０が記載されており、この板ばね３０には、板ばね３０の剛性を小さくするために周方向に細長い形状の及び小円状の多数の開口３０ａが形成されている。
　甲第９号証の第１図には、薄膜状の金属板に適宜な切り込みを入れてばね性を調整したテンションスプリング１が記載されている。
　甲第１０号証の第２図には、ばね定数を調整するために多数のスリット４８を設けた薄膜状の金属板であるロアスプリングシート４０が記載されている。
　即ち、甲第８ないし１０号証には、板ばね等の薄膜状の金属板に適宜な切り込みを入れてばね性を調整することが記載されている。
　
エ）当審の判断
　本件請求項１に係る発明と甲第１ないし３号証に記載された発明とを対比すると、両者は「圧縮気体を外部に流出させる圧力流出口を有するハウジングと、このハウジング内に移動可能に配置される駆動軸と、この駆動軸の先端に設けられ、圧力流出口に圧接される部材と、電磁コイルを有し、この電磁コイルの電磁力により駆動軸を移動させる駆動軸駆動部と、中心部が駆動軸の軸方向一端部に連結されるとともに周辺部がハウジングに連結され、駆動軸を圧力流出口の開閉方向にのみ移動するように支持する第１の支持部材と、中心部が駆動軸の軸方向一端部とは反対側の他端部に連結されるとともに周辺部がハウジングに連結され、駆動軸を圧力流出口の開閉方向にのみ移動するように支持する第２の支持部材とを備え、前記第１の支持部材及び第２の支持部材が弾性力を有する薄膜状の部材で形成されている流量コントロール弁」である点で共通し、本件請求項１に係る発明が（１）血圧計用と限定されている点、（２）駆動軸の先端に設けられる部材が弾性部材と限定されている点、（３）駆動軸駆動部が、常時は圧力流出口を開放し、電磁コイルの電磁力により弾性部材で圧力流出口を閉塞し、徐々に開放するように駆動軸を移動させる点、（４）第１の支持部材及び第２の支持部材が共に圧力流出口を開放する方向に駆動軸を付勢する点、において相違している。
　上記相違点について検討する。相違点（１）、（２）については甲第４ないし７号証に記載されているものの、相違点（３）、（４）については甲第４ないし１０号証には何ら記載されていない。
　しかも、本件請求項１に係る発明は、上記相違点（３）、（４）の構成を有することにより、「駆動軸は、第１の支持部材及び第２の支持部材により圧力流出口を開放する方向に付勢されているので、コイルバネなどの部材が不要となる。更にまた、血圧計においては、微細かつ連続的な微速排気動作を再現性よく制御することができる」等の明細書に記載された効果を奏するものと認められる。
　従って、本件請求項１に係る発明は上記甲第１ないし１０号証に記載された発明とはいえず、また、本件請求項１に係る発明が上記甲第１ないし１０号証に記載された発明に基づいて当業者が容易に発明をすることができたものであるともいえない。
　また、本件請求項２に係る発明は、本件請求項１に係る発明をさらに限定したものであるから、本件請求項１に係る発明について述べた理由と同様の理由により、上記甲第１ないし１０号証に記載された発明とはいえず、また、上記甲第１ないし１０号証に記載された発明に基づいて当業者が容易に発明をすることができたものであるともいえない。
　
オ）むすび
　以上のとおりであるから、特許異議申立ての理由及び証拠によっては、本件請求項１、２に係る発明についての特許を取り消すことはできない。
　また、他に本件請求項１、２に係る発明についての特許を取り消すべき理由を発見しない。
　したがって、本件請求項１、２に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記の通り決定する。
【異議決定日】
平成１３年７月２６日（２００１．７．２６）
【訂正の要旨】
　【訂正の要旨】
　特許第３０２９０７３号発明の明細書を、本件特許異議申立てに関連してなされた訂正請求書に添付した訂正明細書のとおりに訂正する。
１）明りょうでない記載の釈明を目的として、発明の名称を「
血圧計用
２）特許請求の範囲の減縮を目的として、特許請求の範囲の請求項１を次のとおり訂正する。
「
血圧計の排気弁として使用される流量コントロール弁であって、
　圧縮気体を外部に流出させる圧力流出口を有するハウジングと、
　このハウジング内に移動可能に配置される駆動軸と、
　この駆動軸の先端に設けられ、前記圧力流出口に圧接される弾性部材と、
　電磁コイルを有し、
常時は前記圧力流出口を開放し、
し、徐々に
　中心部が駆動軸の軸方向
一端部
　中心部が駆動軸の前記軸方向
一端部とは反対側の他端部
を備え、
　
前記第１の支持部材及び第２の支持部材は、弾性力を有する薄膜状の部材で形成されると共に、共に前記圧力流出口を開放する方向に前記駆動軸を付勢する
血圧計用
３）特許請求の範囲の減縮を目的として、特許請求の範囲の請求項２を次のとおり訂正する。
「
前記第１の支持部材及び第２の支持部材は、薄膜状の金属板に適宜な切り込みを入れて形成していることを特徴とする請求項１記載の血圧計用
４）明りょうでない記載の釈明を目的として、本件特許明細書の段落【０００１】を、次のとおり訂正する。
「この発明は、血圧計
に
血圧計用
５）明りょうでない記載の釈明を目的として、本件特許明細書の段落【０００８】を、次のとおり訂正する。
「この発明は、この問題点に着目してなされたものであって、簡単な構造でありながら、微細かつ連続的な排気流量を再現性よく制御できる
血圧計用
６）明りょうでない記載の釈明を目的として、本件特許明細書の段落【０００９】を、次のとおり訂正する。
「【課題を解決するための手段及び作用】
　上
血圧計の排気弁として使用される流量コントロール弁であって、
常時は前記圧力流出口を開放し、
し、徐々に
一端部
一端部とは反対側の他端部
を備え、前記第１の支持部材及び第２の支持部材は、弾性力を有する薄膜状の部材で形成されると共に、共に前記圧力流出口を開放する方向に前記駆動軸を付勢することを特徴とする。」
７）明りょうでない記載の釈明を目的として、本件特許明細書の段落【００１１】を、次のとおり訂正する。
「なお、この第１及び第２の支持部材は、駆動軸を駆動軸の軸方向
一端部と他端部
。
８）明りょうでない記載の釈明を目的として、本件特許明細書の段落【００１２】を、次のとおり訂正する。
「
また、駆動軸は、第１の支持部材及び第２の支持部材により圧力流出口を開放する方向に付勢されている
　また、流量の微細な制御が容易であり、制御の再現性に優れている
ので、
る。
９）明りょうでない記載の釈明及び誤記の訂正を目的として、本件特許明細書の段落【００１７】を、次のとおり訂正する。
「なお
、ダ
は
図３や図４
１０）明りょうでない記載の釈明を目的として、本件特許明細書の段落【００１８】を、次のとおり訂正する。
「【発明の効果】
　以上説明したように、この発明に係る流量コントロール弁は、駆動軸がいつも同じ経路で移動できるよう駆動軸とハウジングとの間に、駆動軸を駆動軸の軸方向
一端部と他端部
　従って、圧力流出口を開閉する動き以外の駆動軸のガタツキ分が解消され、微細な流量でもこれを再現性よく制御することが可能となる。また、第１と第２の支持部材を駆動軸の軸方向
一端部と他端部
また、駆動軸は、第１の支持部材及び第２の支持部材により圧力流出口を開放する方向に付勢されているので、コイルバネなどの部材が不要となる。
血圧計においては
（５４）【発明の名称】
血圧計用
（５７）【特許請求の範囲】
　【請求項１】
　
血圧計の排気弁として使用される流量コントロール弁であって、
　圧縮気体を外部に流出させる圧力流出口を有するハウジングと、
　このハウジング内に移動可能に配置される駆動軸と、
　この駆動軸の先端に設けられ、前記圧力流出口に圧接される弾性部材と、
　電磁コイルを有し、
常時は前記圧力流出口を開放し、
し、徐々に
　中心部が駆動軸の軸方向
一端部
　中心部が駆動軸の前記軸方向
一端部とは反対側の他端部
を備え、
　
前記第１の支持部材及び第２の支持部材は、弾性力を有する薄膜状の部材で形成されると共に、共に前記圧力流出口を開放する方向に前記駆動軸を付勢する
血圧計用
　【請求項２】
　
前記第１の支持部材及び第２の支持部材は、薄膜状の金属板に適宜な切り込みを入れて形成していることを特徴とする請求項１記載の血圧計用
【発明の詳細な説明】
　【０００１】
　【産業上の利用分野】
　この発明は、血圧計
に
血圧計用
　【０００２】
　【従来の技術】
　血圧計には各種のものが提案されているが、腕帯内の圧力を所定値まで増加させた後その圧力を徐々に減圧してゆき、この減圧過程において各人の血圧値を測定するものがある。
　図５の（ｂ）は、係る血圧計において、腕帯内の圧力を徐々に減圧する為に使用される電磁弁（等速徐々排気弁）の一例を概略断面図で図示したものである。なお、図５の（ａ）は、この電磁弁の正面図を図示したものである。
　【０００３】
　この電磁弁は、内管１を通して腕帯部やポンプ部と接続されるフロントケース２と、オリフィスパッキン３を介して内管１の圧力流出口１−１を開閉する駆動軸（アーマチュア）４と、電磁力に基づいて駆動軸４を図５の左方向に駆動する電磁コイル５などで構成されている。ここで、圧力流出口１−１とオリフィスパッキン３とが圧接される各端面は、共に平坦面になっており、しかも、圧接用の端面は互いに平行関係となるよう形成されている。
　【０００４】
　駆動軸４を移動させる電磁コイル５の周りには、ヨーク６とプレート７とが備えられており、このヨーク６とプレート７はマグネット８によって励磁されている。また、駆動軸４にはコイルバネ１９が当接されており、コイルバネ１９の作用によって図５の右方向に付勢されている。尚、１０はフレーム部、１１はターミナルである。
　【０００５】
　次に、以上の構成からなる電磁弁を利用して血圧測定をする場合の一例を説明する。先ず、電磁コイル５に所定値の電流を流して電磁力を発生させ、この電磁力によって駆動軸４を図５の左向きに移動させる。すると、駆動軸４先端部のオリフィスパッキン３が圧力流出口１−１に圧接されるので、内管部分１は完全に閉塞状態となる。
　【０００６】
　次に、この状態でポンプ（図示せず）を作動させて腕帯（図示せず）に空気を注入して腕帯を加圧する。その後、腕帯の減圧過程に移行するが、この時は、電磁コイル５への供給電流を徐々に減少させることによって電磁力を弱めてゆく。すると、コイルバネ１９の作用によってオリフィスパッキン３が右方向に移動して圧力流出口１−１が開放されてゆくことになり、腕帯内の空気が大気中に微速排気されることになる。そして、この微速排気の過程において各人の血圧値が計測される。
　【０００７】
　【発明が解決しようとする課題】
　以上のように、従来の流量コントロール弁では、電磁コイル５に生じる電磁力を利用して圧力流出口１−１を閉塞させ、コイルバネ１９の反発力を利用して圧力流出口１−１を開放させている。
　この電磁力や反発力は、駆動軸４を介してオリフィスパッキン３に伝達されるのであるが、従来装置の場合には、駆動軸４を適宜に支持する部材が設けられていないので、駆動軸４のガタツキや傾き、及び軸受との引っかかり等の影響を直接受けてしまうという問題点があった。つまり、駆動軸４のガタツキなどは、そのままオリフィスパッキン３に伝達されるので、例えば血圧計で微速排気の動作を行わせる場合には微細な排気流量の制御ができないか、若しくは、動作の再現性が非常に悪いという問題点を生じていた。
　【０００８】
　この発明は、この問題点に着目してなされたものであって、簡単な構造でありながら、微細かつ連続的な排気流量を再現性よく制御できる
血圧計用
　【０００９】
　【課題を解決するための手段及び作用】
　上記の目的を達成する為、請求項１の発明は、
血圧計の排気弁として使用される流量コントロール弁であって、
常時は前記圧力流出口を開放し、
し、徐々に
一端部
一端部とは反対側の他端部
を備え、前記第１の支持部材及び第２の支持部材は、弾性力を有する薄膜状の部材で形成されると共に、共に前記圧力流出口を開放する方向に前記駆動軸を付勢することを特徴とする。
　【００１０】
　ここで、第１及び第２の支持部材の材料は特に限定されないが、例えば、薄膜状に形成された樹脂、ゴム材、金属、紙材などが該当する。
　また、第１及び第２の支持部材の形状や構造も特に限定されないが、例えば、弾性を有する薄膜材料を駆動軸の周り全面に形成して、その薄膜材料の周辺部を固定部分に連結すればよい。駆動軸の周りに形成される薄膜材料は、駆動軸を移動可能に支持するものであれば良いのであるから、例えば、前記形状の薄膜材料に帯状のしわを複数本形成したり、或いは一本または複数本の切り込みを入れてもよく、その形状は任意である。また、剛性の高い薄膜に一本または複数本の切り込みを入れた形状でもよい。いずれにしても、この第１及び第２の支持部材は、駆動軸が常に同じ経路で移動するように駆動軸を支持する材料、形状、構造であればよく、駆動軸の移動経路がいつも同じであることから、流量の微細な制御が容易であり且つ制御の再現性にも優れている。
　【００１１】
　なお、この第１及び第２の支持部材は、駆動軸を駆動軸の軸方向
一端部と他端部
。
　【００１２】
　
また、駆動軸は、第１の支持部材及び第２の支持部材により圧力流出口を開放する方向に付勢されている
　また、流量の微細な制御が容易であり、制御の再現性に優れている
ので、
　【００１３】
　【実施例】
　以下、実施例に基づいて、この発明を更に詳細に説明する。
　図１は、この発明の一実施例である流量コントロール弁の概略断面図を図示したものである。この流量コントロール弁は、内管１を通して腕帯部やポンプ部と接続されるフロントケース２と、オリフィスパッキン３を介して内管１の圧力流出口１−１を開閉する駆動軸４と、電磁力に基づいて駆動軸４を駆動する電磁コイル５などで構成されている。そして、電磁コイル５の周りには、ヨーク６とプレート７とが備えられており、このヨーク６とプレート７はマグネット８によって励磁されている。なお、１０はフレーム部、１１はターミナルである。
　【００１４】
　また、駆動軸４は、フロントダンパー９−１とバックダンパー９−２を介してフレーム部１０に連結されており、これが本実施例の特徴点である。
　図２は、図１に示す流量コントロール弁のうち、フロントダンパー９−１の付近を詳細に図示したものであり、駆動軸４がフロントダンパー９−１によってフレーム１０に連結されている状態を示している。ここで、フロントダンパー９−１は、駆動軸４の円周上全面に薄膜を貼って形成されており、その中心部が駆動軸４に連結され、周辺部が固定部たるフレーム１０に連結されている。つまり、図２は、フィルムダンパを駆動軸４の円周上の一面に貼った実施例を示している。ダンパー部９−１，９−２は、駆動軸４を支持するように形成されているので、駆動軸４は、図２の前後方向にのみ可動し、これ以外の方向には移動しないように規制される。また、この薄膜（ダンパー）９はバネ性を有しており、ダンパー９は、常時、駆動軸４をフロントケース２の反対側に向けて付勢している。
　【００１５】
　以下、図１及び図２を参照しつつ、この実施例に係る流量コントロール弁の動作を説明する。
　先ず、電磁コイル５に所定値の電流を流すことによって、図１の左向きの電磁力を発生させる。すると、この電磁力はダンパー９の反発力に打ち勝って駆動軸４を図１の左方向に移動させ、オリフィスパッキン３を圧力流出口１−１に圧接して内管１を完全な閉塞状態にする。ここで、駆動軸４は、フロントダンパー９−１とバックダンパー９−２によって支持されているので、駆動軸４とオリフィスパッキン３の移動経路は常に同じ経路となる。
　【００１６】
　その後、血圧計の微速排気の過程に移行すると、電磁コイル５への供給電流を少しずつ減少させる。すると、この電流の減少に応じて電磁力が弱まるので、駆動軸４はダンパー９の弾性力によって徐々に右向きに移動し、結果として、圧力流出口１−１は微細かつ連続的に開放されてゆく。この場合にもフロントダンパー９−１とバックダンパー９−２によって駆動軸４が支持されているので、駆動軸４とオリフィスパッキン３の移動経路は常に同じであり、従って、排気特性は再現性に優れたものとなる。尚、ダンパー９−１，９−２は、駆動軸４をその両端部に近い所で支持しているので（図１参照）、駆動軸４の傾きをきびしく規制することができ、微少な排気流量を再現性良く制御することができる。また、ダンパー９は、駆動軸４の円周上の全面に渡って形成されているので、可動部分に塵などが侵入することを防止することができ、その分だけ故障も少ない。
　【００１７】
　なお
、ダ
は
　【００１８】
　【発明の効果】
　以上説明したように、この発明に係る流量コントロール弁は、駆動軸がいつも同じ経路で移動できるよう駆動軸とハウジングとの間に、駆動軸を駆動軸の軸方向
一端部と他端部
　従って、圧力流出口を開閉する動き以外の駆動軸のガタツキ分が解消され、微細な流量でもこれを再現性よく制御することが可能となる。また、第１と第２の支持部材を駆動軸の軸方向
一端部と他端部
また、駆動軸は、第１の支持部材及び第２の支持部材により圧力流出口を開放する方向に付勢されているので、コイルバネなどの部材が不要となる。
血圧計においては
【図面の簡単な説明】
　【図１】
　この発明の一実施例である流量コントロール弁の概略断面図を図示したものである。
　【図２】
　図１のフロントダンパー部の周辺を詳細に図示したものである。
　【図３】
　ダンパー部の別の実施例を図示したものである。
　【図４】
　ダンパー部の更に別の実施例を図示したものである。
　【図５】
　従来の流量コントロール弁の概略断面図を図示したものである。
　【符号の説明】
　１−１　圧力流出口
　３　　　オリフィスパッキン
　４　　　駆動軸
　５　　　電磁コイル
　８　　　マグネット
　９−１　フロントダンパー
　９−２　バックダンパー
　１０　　フレーム